(57)【要約】【課題】浴槽に貯留した湯の熱を浴槽内の空気を介して放熱手段に伝え周囲に放熱することで、浴室全体、特に放熱手段周囲の壁表面及び天井表面を素早く乾燥させることを目的とする。【解決手段】浴槽３と、放熱手段４とを備え、前記浴槽３に貯留した湯の熱を前記放熱手段４により浴室内に放熱することにより、浴室内の温度を上昇し、同時に相対湿度を下げることが可能となり、浴室内を短時間に乾燥することができる。【選択図】図１
2006034314.tif 000002
【特許請求の範囲】
【請求項１】
浴槽と、放熱手段とを備え、前記浴槽に貯留した湯の熱を前記放熱手段により周囲に放熱する浴槽放熱装置。
【請求項２】
前記放熱手段は浴槽の開口部を密閉する構成の請求項１に記載の浴槽放熱装置。
【請求項３】
前記放熱手段は少なくとも一部が浴槽に貯留した湯に接触する構成の請求項１または２に記載の浴槽放熱装置。
【請求項４】
前記放熱手段の少なくとも一部が浴室の壁に接触可能な構成の請求項１〜３のいずれか１項に記載の浴槽放熱装置。
【請求項５】
前記放熱手段は放熱フィンを備えた請求項１〜４のいずれか１項に記載の浴槽放熱装置。
【請求項６】
前記放熱手段はファンと攪拌手段を備えた請求項１〜５のいずれか１項に記載の浴槽放熱装置。
【請求項７】
前記放熱手段の吸熱部に付着した結露水を除去する結露除去手段を備えた請求項１〜６のいずれか１項に記載の浴槽放熱装置。
【請求項８】
前記除去手段は吸熱部に傾斜を設け、吸熱部の表面に親水処理を施した構成の請求項７に記載の浴槽放熱装置。
【請求項９】
吸気口と、排気口とを備えた浴室に、請求項１〜８のいずれか１項に記載の浴槽放熱装置を設置した浴室乾燥システム。
【請求項１０】
前記排気口に換気扇を設置した請求項９に記載の浴室乾燥システム。
【請求項１１】
前記換気扇は排気機能と循環機能を備えた請求項１０に記載の浴室乾燥システム。
【請求項１２】
前記吸気口に吸気ファンを設置した請求項９〜１１のいずれか１項に記載の浴室乾燥システム。
【請求項１３】
前記換気扇または／および前記吸気ファンの運転を制御する制御手段を備えた請求項１２に記載の浴室乾燥システム。
【発明の詳細な説明】
【技術分野】
【０００１】
本発明は浴槽に貯留した湯の熱を利用する浴槽放熱装置およびその浴室放熱装置を用いて浴室を乾燥させる浴室乾燥システムに関するものである。
【背景技術】
【０００２】
従来、この種の浴槽放熱装置は、断熱材料と蓄熱材料からなる板状のふたを、蓄熱材料を下にして浴槽の開口部に載置し、浴槽の熱を蓄熱材料に蓄熱した後、ふたを反転して蓄熱材料を上にした状態で浴室の洗い場上に敷き床暖房機能を備えた浴室マットとして使用している（例えば、特許文献１参照）。
【０００３】
図６は、前記公報に記載された従来の浴槽放熱装置を示すものである。図６において、浴槽１の上面に載置したふた２は上部が断熱材２ａで下部が蓄熱材２ｂの２層構造となっており、反転して洗い場上に敷き浴室マットとしても使用できる構成である。
【特許文献１】特開昭５９−５７６２３号公報
【発明の開示】
【発明が解決しようとする課題】
【０００４】
しかしながら、前記従来の構成では、蓄熱材料に蓄熱し床暖房機能として使用する熱は、本来浴槽内の湯として有効に使用される熱であり、床暖房を有効にするためには浴槽の湯に余分な熱エネルギーを供給する必要があり、トータルとして熱エネルギーを無駄にしているという課題を有していた。
【０００５】
本発明は、前記従来の課題を解決するもので、浴槽に貯留した入浴後の湯の余熱を放熱手段を介して周囲に放熱することで、浴室全体、特に放熱手段周囲の壁表面及び天井表面を素早く乾燥させるとした浴槽放熱装置を提供することを目的とする。
【課題を解決するための手段】
【０００６】
前記従来の課題を解決するために、本発明の浴槽放熱装置は、浴槽と、放熱手段とを備え、前記浴槽に貯留した湯の熱を前記放熱手段により周囲に放熱する浴槽放熱装置としたものである。
【０００７】
これによって、浴槽に貯留した湯の余熱が放熱手段を介して周囲に放熱し、周囲温度を上げ同時に相対湿度を下げることが可能となる。
【発明の効果】
【０００８】
以上のように、請求項１から１３のいずれか一項記載の発明によれば、浴室全体、特に放熱手段の周囲の壁表面及び天井表面を素早く乾燥させることができ、しかも入浴後に浴槽に貯留した湯を再利用することで効率的にエネルギーを活用することができる。
【発明を実施するための最良の形態】
【０００９】
第１の発明は浴槽と、放熱手段とを備え、前記浴槽に貯留した湯の熱を前記放熱手段により周囲に放熱する構成とすることにより、浴槽に貯留した湯の熱が放熱手段を介して周囲に放熱し、周囲温度を上げ同時に周囲湿度を下げるとなり、浴室全体、特に放熱手段周囲の壁表面及び天井表面を素早く乾燥させることができ、しかも入浴後に浴槽に貯留した湯を再利用することで効率的にエネルギーを活用することができる。
【００１０】
第２の発明は、特に、第１の発明の放熱手段は浴槽の開口部を密閉する構成とすることにより、浴槽に貯留した湯の熱が放熱手段を介して周囲に伝わる際、湯の蒸気は浴槽の中に完全に閉じ込められ、周囲に蒸気が漏れないことで周囲湿度の上昇を抑え、浴室全体、特に放熱手段周囲の壁表面及び天井表面を素早くしかも効率的に乾燥させることができる。
【００１１】
第３の発明は、特に、第１の発明または第２の発明の放熱手段は少なくとも一部が浴槽に貯留した湯に接触する構成とすることにより、浴槽に貯留した湯の熱が直接、放熱手段に伝わるため、湯の熱が空気を介して伝わる場合と比較して、放熱手段への熱伝導が早く結果として放熱速度及び放熱性能を向上させ浴室全体の乾燥を早めることができる。
【００１２】
第４の発明は、特に、第１〜３のいずれか１つの発明の放熱手段の少なくとも一部が浴室の壁に接触可能な構成とすることにより、浴槽に貯留した湯の熱が放熱手段に伝わった後、壁に接触している部分から周囲の壁に直接熱伝導するため、壁に接触していないときと比較して、壁自体の温度を上昇するとともに、壁全体から放熱することにより、浴室全体の乾燥を早めることができる。
【００１３】
第５の発明は、特に、第１〜４のいずれか１つの発明の放熱手段が放熱フィンを備えるとすることにより、浴槽に貯留した湯の熱が放熱手段に伝わったあと、放熱手段に設けた放熱フィンによって放熱されることとなり、放熱速度及び放熱性能を向上させ浴室全体の乾燥を早めることができる。
【００１４】
第６の発明は、特に、第１〜５のいずれか１つの発明の放熱手段はファンと攪拌手段を備えるとすることにより、攪拌手段によって浴槽に貯留した湯の熱が効率的に浴槽内の空気に熱伝導し、ファンによって浴槽内の空気の熱が効率的に放熱手段に伝わることとなり、放熱速度及び放熱性能を向上させ浴室全体の乾燥を早めることができる。
【００１５】
第７の発明は、特に、第１〜６のいずれか１つの発明の放熱手段の吸熱部に付着した結露水を除去する結露除去手段を備えるとすることにより、浴槽に貯留した湯の熱が浴槽内の空気を介して放熱手段に伝わる際、吸熱部への熱伝達率が向上し、放熱速度及び放熱性能を向上させ浴室全体の乾燥を早めることができる。
【００１６】
第８の発明は、特に、第７の発明の除去手段は吸熱部に傾斜を設け、吸熱部の表面に親水処理を施した構成とすることにより、結露水が吸熱部に付着することなく浴槽内部へ落下するため、吸熱部への熱伝達率が向上し、放熱速度及び放熱性能を向上させ浴室全体の乾燥を早めることができる。
【００１７】
第９の発明は、吸気口と、排気口を備えた浴室に、第１〜８のいずれか１つの発明の浴槽放熱装置を設置した構成とすることにより、浴室に設置した吸気口と排気口により浴室内部全体に空気の流れを作り、浴槽放熱装置から放熱された熱が空気の流れに沿って浴室全体に伝わることとなり、浴室全体を素早くしかも効率良く乾燥させることができる。
【００１８】
第１０の発明は、特に、第９の発明の排気口に換気扇を設置することにより、浴室内部全体に空気の流れを作り、浴槽放熱装置から放熱された熱が空気の流れに沿って浴室全体に伝わることとなり、浴室全体を素早くしかも効率良く乾燥させることができる。
【００１９】
第１１の発明は、特に、第１０の発明の換気扇は排気機能と循環機能を備えることにより、換気扇の循環機能により吸い込んだ空気を浴室内部全体で循環させ、浴室内部の湿った空気を換気扇の排気機能により浴室外部へ排出することとなり、排気のみの換気扇と比べて、浴室内を循環する空気の量を増やすことができ、浴室全体、特に浴室の隅部を素早くしかも効率良く乾燥させることができる。
【００２０】
第１２の発明は、特に、第９〜１１のいずれか１つの発明の吸気口に吸気ファンを設置することにより、浴室外部の乾燥した空気を強制的に浴室内部へ取り込むこととなり、吸気ファンがない場合と比較して、浴室全体、特に浴室の隅部を素早くしかも効率良く乾燥させることができる。
【００２１】
第１３の発明は、特に、第１２の発明の換気扇または／および吸気ファンの運転を制御する制御手段を備える構成とすることにより、換気扇と吸気ファンの運転タイミング及び運転時間を制御手段にてコントロールすることで、状況に応じて浴室内部の空気の量および流れを変えることとなり、浴室全体を素早くしかも効率良く乾燥させることができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における浴槽放熱装置の斜視図を示すものである。
【００２４】
また、図２は、本発明の第１の実施の形態における浴槽放熱装置の断面図を示すものである。
【００２５】
図に示すように、浴槽３の開口部３ａを密閉するように浴槽３の上縁部３ｂに放熱手段４を載置してある。放熱手段４は本体板５を浴槽３の略半分の大きさの銅板で構成し、２個の本体板５を用いて浴槽３の開口部３ａを密閉する。一方の本体板５の端部には壁接触突出部５ａを備え壁７と密着させる。本体板５の上面には複数の放熱フィン５ｂと持ち運ぶ際に用いる取っ手５ｃが設置してある。
【００２６】
図２に示すように、本体板５の裏面に突出して設けた湯接触突出部５ｄが浴槽３に貯留した湯６に潜入して接触しており、湯接触突出部５ｄには湯６を攪拌する手段として攪拌モータ９を設置している。
【００２７】
また、本体板５の裏面はほぼ全面が吸熱部５ｅとなっており、その一部には浴槽３の上部空間に対応する位置にファン８が設置してあり、本体板５の周囲には、浴槽３からの蒸気漏れを防ぐためのパッキン２１が設置してある。
【００２８】
以上のように構成された浴槽放熱装置について、以下その動作、作用を説明する。
【００２９】
まず、入浴後に浴槽３の中に湯６を貯めた状態で開口部を完全に密閉するように放熱手段４を２個載せると、浴槽３の湯６の熱が放熱手段４の湯接触突出部５ａを介して本体板５に伝わり、一方、湯６の上部の空気の熱は吸熱部５ｅを介しても伝わってくる。本体板５に熱伝導した熱エネルギーは壁接触突出部５ａと放熱フィン５ｂに分散し、壁接触突出部５ａに伝わった熱は壁７を伝わって浴室周囲の壁７から放熱され、放熱フィン５ｂに伝わった熱はそのまま上部の空気中に放熱される。
【００３０】
以上のように、本実施の形態においては浴槽３の開口部３ａを密閉するように放熱手段４を載せる構成とすることにより、浴槽３に貯留した湯６の熱が外部への蒸気漏れがない状態で浴槽内の空気または直接、湯接触突出部５ｄを介して放熱手段４に伝わり、浴室周囲全体に放熱することになり、周囲温度が上がり、同時に周囲湿度を下がることで浴室全体、特に放熱手段４の周囲の壁表面及び天井表面を素早く乾燥させることができ、しかも入浴後に浴槽３に貯留した湯６を浴室乾燥に再利用することで効率的にエネルギーを活用することができる。
【００３１】
また、本実施の形態では湯接触突出部５ｄに攪拌手段としての攪拌モータ９を設置し、浴槽３の上部の空気に流れを作るためにファン８を設置したことにより、攪拌モータ９によって浴槽３に貯留した湯６の熱が効率的に空気または湯接触突出部５ｄに伝わり、ファン８によって空気中の熱が吸熱部５ｅを介して効率的に放熱手段４に伝わることになり、放熱速度及び放熱性能を向上させ浴室全体の乾燥をさらに早めることもできる。
【００３２】
なお、本実施の形態においては、本体板５を銅板としたが、熱伝導性の良い材料であれば金属でも樹脂でもよい。
【００３３】
なお、本実施の形態においては、持ち運びしやすいように本体板５に取っ手５ｃを設け２分割にして浴槽３の開口部を密閉する構成としたが、分割の数を増やしたり、１枚もので構成してもよく、さらに、２分割構成で一方は浴槽放熱装置でもう片方は断熱性の高い通常の風呂ふたとしてもよい。
【００３４】
（実施の形態２）
図３は、本発明の第２の実施の形態における浴槽放熱装置の断面図を示すものである。
【００３５】
図３において、放熱手段１０の本体板１１の裏面の吸熱部１１ａに傾斜を設け、吸熱部１１ａの表面に親水処理としての親水塗料１１ｂを塗布している。
【００３６】
また、本体板１１の裏面下方には吹き出し方向を吸熱部１１ａとした結露除去手段としての結露防止用ファン１２を設置してある。
【００３７】
以上のように構成された浴槽放熱装置について、以下その動作、作用を説明する。
【００３８】
まず、浴槽３に貯留した湯の熱が本体板１１に伝わる際、熱は蒸気を含んでいるため、本体板１１裏面の吸熱部１１ａに結露水が付着するが、親水塗料１１ｂを塗布しているため、結露水の表面積が増すことにより、重力で傾斜のある吸熱部１１ａの表面を流れ、浴槽３の湯６の中に結露水が流れ落ちる。
【００３９】
以上のように、本実施の形態においては本体板１１の吸熱部１１ａの表面に親水塗料１１ｂを塗布していることにより、結露水の付着を低減することになり、結露水が付着することによる断熱性の上昇を抑制し、放熱性能を常に維持し続けることで浴室全体の乾燥を早めることができる。
【００４０】
また、本実施の形態では結露除去手段として、本体板１１に吹き出し方向を吸熱部１１ａとした結露防止用ファン１２を設置したことにより、結露防止用ファン１２の風が結露水の付着した吸熱部１１ａに当たり、結露水を蒸発させるまたは直接吹き飛ばすこととなり、更なる結露水の付着を低減することもでき、浴室全体の乾燥を早めることができる。
【００４１】
（実施の形態３）
図４は、本発明の第３の実施の形態における浴室乾燥システムの断面図を示すものである。
【００４２】
図４において、浴室２２のドア２３の下方部の吸気口１３に吸気ファン１６を設置し、天井２４の排気口１４に換気扇１５を設置する。換気扇１５と吸気ファン１６をそれぞれ天井２４の上に置いた制御手段としての制御装置１７に電気接続し、コントローラー２４にて換気扇１５と吸気ファン１６の操作を行えるようにし、換気扇１５，吸気ファン１６をそれぞれ単独、あるいは連動して作動できる構成にしている。浴槽３の中に湯６を貯留させ、浴槽３の上に放熱手段４を置き、浴槽放熱装置１８を形成する。
【００４３】
以上のように構成された浴室乾燥システムについて、以下その動作、作用を説明する。
【００４４】
まず、浴槽３に貯留した湯６の熱が放熱手段４の放熱フィン５ｂから、浴室２２の内部に放熱される。一方、コントローラー２４にて換気扇１５と吸気ファン１６の電源をＯＮすると、浴室外からの乾燥した空気が吸気口１３を通って、浴室２２の内部に吸い込まれ、浴室２２の下方から上方へと空気が流れるときに浴槽放熱装置１８から放熱された熱を取り込こんだあと、浴室２２の中の水分を含み、天井２４に設置した換気扇１５により浴室外へ排気される。
【００４５】
以上のように、本実施の形態においては浴室内に吸い込まれた空気が浴槽放熱装置１８から放熱された熱を取り込こみ、換気扇１５にて浴室２２の隅々まで空気が行渡り、浴室外へ排気するため浴室全体を素早くしかも効率良く乾燥させることができる。
【００４６】
なお、本実施の形態における換気扇を図５に示すような循環型換気扇２５を設置することもできる。循環型換気扇２５には換気扇吸気口２６と循環機能としての換気扇吹出口２０と換気扇ファン２７と排気機能としての換気扇排気口１９を備えており、浴室２２の天井２４設置した循環型換気扇２５の換気扇ファン２７を駆動させると、換気扇吸気口２６から空気が吸い込まれ、吸い込まれた空気の一部が換気扇吹出口２０から浴室内へ吹き出され、残りが換気扇排気口１９から浴室外へ排気される。
【００４７】
以上のように、循環型換気扇を使用すると、浴室内を循環する空気の量が増加するため、浴室の隅々まで空気を送れることになり、浴室全体を素早くしかも効率良く乾燥させることができる。
【産業上の利用可能性】
【００４８】
以上のように、本発明にかかる浴槽放熱装置は浴室内部全体を素早くしかも効率良く乾燥させることが可能となるため、洗面空間、脱衣空間、台所空間の乾燥等の用途にも適用できる。
【図面の簡単な説明】
【００４９】
【図１】本発明の実施の形態１における浴槽放熱装置の斜視図
【図２】本発明の実施の形態１における浴槽放熱装置の断面図
【図３】本発明の実施の形態２における浴槽放熱装置の断面図
【図４】本発明の実施の形態３における浴室乾燥システムの断面図
【図５】本発明の実施の形態３における別の換気扇の断面図
【図６】従来の浴槽放熱装置の断面図
【符号の説明】
【００５０】
３  浴槽
３ａ  開口部
４  放熱手段
５ｂ  放熱フィン
５ｅ、１１ａ  吸熱部
６  湯
７  壁
８  ファン
９  攪拌モータ（攪拌手段）
１１ｂ  親水塗料（親水処理）
１２  結露防止用ファン（結露除去手段）
１３  吸気口
１４  排気口
１５  換気扇
１６  吸気ファン
１７  制御装置（制御手段）
１８  浴槽放熱装置
１９  換気扇排気口（排気機能）
２０  換気扇吹出口（循環機能）
【図１】
2006034314.tif 000003
【図２】
2006034314.tif 000004
【図３】
2006034314.tif 000005
【図４】
2006034314.tif 000006
【図５】
2006034314.tif 000007
【図６】
2006034314.tif 000008